【手続補正書】
【提出日】平成26年4月18日(2014.4.18)
【手続補正１】
【補正対象書類名】明細書
【補正対象項目名】０００６
【補正方法】変更
【補正の内容】
【０００６】
上記課題を解決し、目的を達成するために、本発明によるカメラは、ミラーと、第１の位置と第２の位置との間を移動することで、前記ミラーを駆動するミラー駆動部材と、前記ミラー駆動部材を前記第１の位置に付勢するミラーアップバネと、前記ミラー駆動部材を前記第１の位置から前記第２の位置に移動させることで、前記ミラーアップバネをチャージするチャージ部材と、前記チャージ部材を駆動する駆動源と、を有し、前記ミラー駆動部材を前記第２の位置から前記第１の位置に駆動させるときの前記ミラー駆動部材の移動軌跡内に、前記チャージ部材が進入するように、前記駆動源を駆動し、前記移動軌跡内に、前記チャージ部材を進入させた後、前記ミラー駆動バネの付勢力によって前記ミラー駆動部材を前記第２の位置から前記第１の位置に移動させることを特徴とする。
【手続補正２】
【補正対象書類名】明細書
【補正対象項目名】００３０
【補正方法】変更
【補正の内容】
【００３０】
離反バネ３６０Ｓｐは吸着部３８０ａを離反する方向に付勢する。すなわち、離反バネ３６０Ｓｐは、吸着レバー３７０を離反レバー３６０の回動中心３６０ａを中心として左回転させる方向に付勢している。吸着部３８０ａがヨークに吸着される際には、離反バネ３６０Ｓｐの付勢力よりも大きな力で吸着部３８０ａがヨークに保持される。
【手続補正３】
【補正対象書類名】明細書
【補正対象項目名】００３５
【補正方法】変更
【補正の内容】
【００３５】
アップフックレバー３５０とミラーレバー３１０の係止部３１０ａとの係合が解除されると、ミラーアップバネ３１０Ｓｐのバネ力によって、ミラーレバー３１０は、回動中心３１０ｄを中心として左回転をする。このとき、ミラードライブレバー３２０の係止部３２０ａがダウンフックレバー３４０に係合しているので、ミラードライブレバー３２０は、ミラーレバー３１０の回動中心３１０ｄを中心として左回転を行う。その際、ミラードライブレバー３２０のカム部３２０ｂがメインミラー駆動軸１０２を押し上げることにより、ミラーアップ動作が行われる。
【手続補正４】
【補正対象書類名】明細書
【補正対象項目名】００４１
【補正方法】変更
【補正の内容】
【００４１】
ダウンフックレバー３４０の解除部３４０ｂが離反レバー３６０のローラー３６０ｂと当接可能な位置に移動する。ミラーアップ時のバウンドが収束したのち、露光動作が行われ、ミラーダウン動作へと進む。
【手続補正５】
【補正対象書類名】明細書
【補正対象項目名】００４４
【補正方法】変更
【補正の内容】
【００４４】
離反レバー３６０の左回転することで、離反レバー３６０のローラー３６０ｂがダウンフックレバー３４０の解除部３４０ｂに当接し、ダウンフックレバー３４０が回動中心３４０ａを中心として右回転する。これによって、ダウンフックレバー３４０とミラードライブレバー３２０の係止部３２０ａとの係合を解除する。ダウンフックレバー３４０とミラードライブレバー３２０の係止部３２０ａとの係合が解除されることで、ミラーダウンバネ１００ｓｐのバネ力がメインミラー駆動軸１０２に作用する。これによって、ミラードライブレバー３２０はミラーレバー３１０の回動中心３１０ｄを中心として右回転を行う。
【手続補正６】
【補正対象書類名】明細書
【補正対象項目名】００５２
【補正方法】変更
【補正の内容】
【００５２】
軸４００ｂには、位相板４０４が配置されている。位相板４０４は、軸４００ｂを中心としてカムギア４０３と一体となって回転する。位相板４０４には切り欠きが形成され、位相板４０４が回転することで、ホトインタラプタ４０５は光を遮る状態と光を通過させる状態とを検出する。ホトインタラプタ４０５は２組の投受光ユニットを備えているので、カムギア４０３の位相を４つ検出することができる。
【手続補正７】
【補正対象書類名】明細書
【補正対象項目名】００５３
【補正方法】変更
【補正の内容】
【００５３】
軸４００ｃには、チャージ部材としてのチャージレバー４０６が配置されている。チャージレバー４０６は、軸４００ｃを中心として回動自在に配置されている。チャージレバー４０６はチャージ戻しバネ４０７に付勢されている。チャージレバー４０６には、チャージベアリング４０６ａおよびチャージローラー４０６ｂが回転自在に形成されている。チャージベアリング４０６ａはカムギア４０３のカム部４０３ａに当接可能であり、チャージローラー４０６ｂはミラーレバー３１０のチャージ部に設けられたローラー３１０ｃに当接可能である。
【手続補正８】
【補正対象書類名】明細書
【補正対象項目名】００５９
【補正方法】変更
【補正の内容】
【００５９】
さらに、ミラーアップ状態から、電磁石３８０にパルス通電が行わると、ダウンフックレバー３４０とミラードライブレバー３２０の係止部３２０ａとの係合を解除され、図２（ｃ）に示すミラーダウン状態となる。
【手続補正９】
【補正対象書類名】明細書
【補正対象項目名】００７４
【補正方法】変更
【補正の内容】
【００７４】
また、第１のミラー駆動モードと同様に、ミラードライブレバー３２０の係止部３２０ａがダウンフックレバー３４０に係合しているので、ミラードライブレバー３２０は、ミラーレバー３１０の回動中心３１０ｄを中心として左回転を行う。その際、ミラードライブレバー３２０のカム部３２０ｂがメインミラー駆動軸１０２を押し上げることにより、ミラーアップ動作が行われる。
【手続補正１０】
【補正対象書類名】特許請求の範囲
【補正対象項目名】全文
【補正方法】変更
【補正の内容】
【特許請求の範囲】
【請求項１】
ミラーと、
第１の位置と第２の位置との間を移動することで、前記ミラーを駆動するミラー駆動部材と、
前記ミラー駆動部材を前記第１の位置に付勢するミラー駆動バネと、
前記ミラー駆動部材を前記第１の位置から前記第２の位置に移動させることで、前記ミラー駆動バネをチャージするチャージ部材と、
前記チャージ部材を駆動する駆動源と、を有し、
前記ミラー駆動部材を前記第２の位置から前記第１の位置に駆動させるときの前記ミラー駆動部材の移動軌跡内に、前記チャージ部材が進入するように、前記駆動源を駆動し、
前記移動軌跡内に、前記チャージ部材を進入させた後、前記ミラー駆動バネの付勢力によって前記ミラー駆動部材を前記第２の位置から前記第１の位置に移動させることを特徴とするカメラ。
【請求項２】
前記ミラー駆動部材が前記第１の位置となるとき、前記ミラーはミラーアップ状態となり、
前記ミラー駆動部材が前記第２の位置となるとき、前記ミラーはミラーダウン状態となることを特徴とする請求項１に記載のカメラ。
【請求項３】
前記駆動源はモータを含み、
前記ミラー駆動部材を前記第２の位置から前記第１の位置に駆動させるときの前記ミラー駆動部材の移動軌跡内に、前記チャージ部材が進入するように、前記モータに通電し、
前記移動軌跡内に、前記チャージ部材を進入させた後、前記モータへの通電を停止し、
前記モータへの通電を停止した後、前記ミラー駆動バネの付勢力によって前記ミラー駆動部材を前記第２の位置から前記第１の位置に移動させることを特徴とする請求項１または２に記載のカメラ。
【請求項４】
前記駆動源はモータを含み、
前記ミラー駆動部材を前記第２の位置から前記第１の位置に駆動させるときの前記ミラー駆動部材の移動軌跡内に、前記チャージ部材が進入するように、前記モータに通電し、
前記移動軌跡内に、前記チャージ部材を進入させた後も前記モータへの通電を継続し、
前記モータへの通電を継続したまま、前記ミラー駆動バネの付勢力によって前記ミラー駆動部材を前記第２の位置から前記第１の位置に移動させることを特徴とする請求項１または２に記載のカメラ。
【請求項５】
前記カメラは第１のミラー駆動モードおよび第２のミラー駆動モードのいずれかを選択することができるものであって、
前記第１のミラー駆動モードが選択される場合には、前記ミラー駆動バネの付勢力によって前記ミラー駆動部材を前記第２の位置から前記第１の位置に駆動させる際の移動軌跡内に、前記チャージ部材を進入させることなく、前記ミラー駆動バネの付勢力によって前記ミラー駆動部材を前記第２の位置から前記第１の位置に移動させ、
前記第１のミラー駆動モードが選択される場合には、前記ミラー駆動バネの付勢力によって前記ミラー駆動部材を前記第２の位置から前記第１の位置に駆動させる際の移動軌跡内に、前記チャージ部材を進入するように、前記駆動源を駆動した後、前記ミラー駆動バネの付勢力によって前記ミラー駆動部材を前記第２の位置から前記第１の位置に移動させることを特徴とする請求項１ないし３のいずれか１項に記載のカメラ。
【手続補正１１】
【補正対象書類名】図面
【補正対象項目名】図２
【補正方法】変更
【補正の内容】
【図２】
2012226153.tif 000001
【手続補正１２】
【補正対象書類名】図面
【補正対象項目名】図３
【補正方法】変更
【補正の内容】
【図３】
2012226153.tif 000002
【手続補正１３】
【補正対象書類名】図面
【補正対象項目名】図４
【補正方法】変更
【補正の内容】
【図４】
2012226153.tif 000003